(57)【要約】      （修正有）【課題】下敷きボード構造において、下敷きボード本体の傾斜角度の調整、傾斜した状態と水平状態との切り換えを簡便に行いうるようにする。【解決手段】一つの板面１１と一つの底面１２とを有する一つの下敷きボード本体１０と、位置決め端２１及び揺動端２２を含み、位置決め端は下敷きボード本体に締結してあり、揺動端は所定の長さを有する、連結用架体２０と、連結用架体の揺動端に締結されており、揺動端と共に移動することが可能であり、下敷きボード本体の底面の下もしくは下敷きボード本体のサイドの位置に移動させられる支持部材３０を含む。支持部材を下敷きボード本体の底面の下で連結用架体と共に移動させることによって、下敷きボード本体の傾斜角度の調整がなされ、支持部材を下敷きボード本体のサイドの位置に移動させると、下敷きボード本体は水平状態となる。【選択図】図１
0003140818.tif 000002
【実用新案登録請求の範囲】
【請求項１】
所定の長さ、幅及び板厚を有しており、一つの板面（１１）と一つの底面（１２）とを有する一つの下敷きボード本体（１０）と、
位置決め端（２１）及び揺動端（２２）を含み、前記位置決め端（２１）は前記下敷きボード本体（１０）に締結してあり、前記揺動端（２２）は所定の長さを有する、連結用架体（２０）と、
前記連結用架体（２０）の前記揺動端（２２）に締結されており、前記揺動端（２２）と共に移動することが可能であり、前記下敷きボード本体（１０）の底面（１２）の下、もしくは前記下敷きボード本体（１０）のサイドの位置に移動させられる支持部材（３０）を含む下敷きボード構造。
【請求項２】
前記支持部材は、一つのドラム（３１）よりなり、
前記ドラム（３１）には、前記連結用架体（２０）から取り外し及び交換のための一つの位置制御溝（５２）が形成してある、請求項１に記載の下敷きボード構造。
【請求項３】
前記支持部材は、一つのスライド支持座（３１Ｂ）よりなり、
前記スライド支持座には、ワークを収容できる一つの収容部（４２）が設けてある、請求項１に記載の下敷きボード構造。
【請求項４】
前記下敷きボード本体（１０）の前記連結用架体（２０）の位置決め端（２１）を締結する部位には長形リード溝（４０）が形成してあり、
前記連結用架体（２０）の位置決め端（２１）が、可動式位置決めピン（４１）で上記長形リード溝（４０）に締結してあり、
前記可動式位置決めピン（４１）の長形リード溝（４０）への締結が緩め状態にある場合には、前記可動式位置決めピン（４１）を長形リード溝（４０）の限られた距離の範囲内でスライドさせて前記連結用架体（２０）を動かして、前記支持部材（３０）と前記下敷きボード本体（１０）の相対位置及び下敷きボード本体（１０）の傾斜角度が調整される、請求項１に記載の下敷きボード構造。
【請求項５】
前記下敷きボード本体（１０）のうち使用者に近い側には、一つの補助マット５０が設置してあり、
前記補助マット（５０）は、可動フレーム（５１）を介して下敷きボード本体（１０）に取り付けられており、下敷きボード本体の板面（１１）の上、もしくは下敷きボード本体（１０）のサイド位置に移動させられる、請求項１に記載の下敷きボード構造。
【請求項６】
前記下敷きボード本体（１０）は、前記長形リード溝（４０）に近接する箇所に、外側に伸びたウィング部（１３Ｒ，１３Ｌ）を有する、請求項４に記載の下敷きボード構造。
【考案の詳細な説明】
【技術分野】
【０００１】
本考案は下敷きボード構造に係り、特に、傾斜角度を調整できる下敷きボード構造に関するものである。
【背景技術】
【０００２】
従来の机面は物を安定した状態で置けるように、水平設計になっていることが多いが、実際、人間が机上で読み書きをするとき、机面は人に対して適切な傾斜角度（約１７°）となっているのが最も理想的であり、そうすることで腰部を真っ直ぐに保ち、脊椎の健康を維持することができる。
【０００３】
前記の目的を達成すべく、一部の業者は机面の傾斜角度を調整できる机を開発した。この机の構造は天板に傾斜調整機能をもたせるために、可動式の関節部に位置決め切り替えパーツや強化支持フレームなどの部材を使用する構成である。
【考案の開示】
【考案が解決しようとする課題】
【０００４】
しかし、可動式の関節部に位置決め切り替えパーツや強化支持フレームなどの部材を必要とするため、材料、組立てコストを低く抑えることができず、その分だけ机の価格が高くなり、消費者に負担がかかってしまうことになる。また、使用する観点からみると、公知の傾斜調整机はその調整機構を天板の下方に設置することが多いため、操作が不便だという欠点が存在する。
【０００５】
そして、他に考えられる問題点としては、既に傾斜調整機能を有さない一般的な机を購入された使用者にとって、その需要を満たすことはできない。
【０００６】
よって、従来の構造における問題点を改善し、より理想的で実用性を伴った卓具配件の新型構造を開発することは消費者が待望することであり、関連業者の目指すところでもある。
【０００７】
考案者は長年関連製品の設計開発に携わってきた経験を活かし、上述の目標を達成すべく、工夫を凝らした設計を取り入れ、慎重に評価を重ねた後にやっとこのような実用性をもった考案を提案した。
【０００８】
本考案は、上記課題を解決した下敷きボード構造を提供することを目的とする。
【課題を解決するための手段】
【０００９】
本考案は、所定の長さ、幅及び板厚を有しており、一つの板面と一つの底面とを有する一つの下敷きボード本体と、
位置決め端及び揺動端を含み、位置決め端は下敷きボード本体に締結してあり、揺動端は所定の長さを有する、連結用架体と、
連結用架体の揺動端に締結されており、揺動端と共に移動することが可能であり、下敷きボード本体の底面の下、もしくは下敷きボード本体のサイドの位置に移動させられる支持部材を含むことを特徴とする。
【考案の効果】
【００１０】
このような調整可能な下敷きボード構造を既設の机面に設置することで、その用途に応じて、傾斜角度を調整することができる。
【００１１】
本考案の第二の目的は下敷きボード本体の連結用架体の位置決め端と長形リード溝の締結部を可動式位置決めピンで固定することで、締付け／緩めるという簡易操作でその支持部材と下敷きボード本体の相対位置及び下敷きボード本体の傾斜角度を調整することができる。
【００１２】
本考案の第三の目的はその下敷きボード本体の片側に可動式補助マットを設置したことで、その補助マットを下敷きボード本体の板面の上もしくは下敷きボード本体サイド位置に移動させ、手部を支えたり、ストッパーとしての役割を果たすことができる。
【考案を実施するための最良の形態】
【００１３】
以下、本考案の実施例になる下敷きボード構造について説明する。図１〜図８は本考案の調整可能な下敷きボード構造の推奨実施例である。但し、これらの実施例は説明をするための参考であり、実用新案登録の申請に際してはその構造の制限を受けない。
【実施例１】
【００１４】
図１は本考案の実施例１になる下敷きボード構造を示す斜視図である。
【００１５】
下敷きボード構造Ａは、角度が調整可能である構成であり、一つの下敷きボード本体１０と、連結用架体２０と、一つの支持部材３０とを有する。
【００１６】
下敷きボード本体１０は、所定の長さ、幅及び板厚を有しており、一つの板面１１と一つの底面１２を有する。
【００１７】
連結用架体２０は、位置決め端２１及び揺動端２２を含み、位置決め端２１は下敷きボードの本体１０に締結してあり、揺動端２２は所定の長さを有する。
【００１８】
支持部材３０は、連結用架体２０の揺動端２２に締結されており、揺動端２２と共に移動することが可能であり、支持部材３０を下敷きボード本体１０の底面１２の下、もしくは下敷きボード本体１０のサイドの位置に移動させることができる。この構造において、支持部材３０は、一つのドラム３１よりなる。
【００１９】
次に、上記下敷きボード構造Ａの使用状況について説明する。
【００２０】
図１に示すように、調整可能な下敷きボード構造Ａは、一つの下敷きボード本体１０の片側（使用者から遠い側）の両サイドに連結用架体２０が装着してある。連結用架体２０の位置決め端２１と下敷きボード本体１０の締結部は、一つの固定用パーツ４４によって固定してある。連結用架体２０の別の揺動端２２に装着されている支持部材３０は定置部でスクロール調整を行うことができる。
【００２１】
なお、連結用架体２０は一つの曲折部２３を有しており、これによって、スクロール支持部材３０を固定し、滑りや位置ずれを防ぐことが可能である。
【実施例２】
【００２２】
図２は本考案の実施例２になる下敷きボード構造Ａ１を示す斜視図、図４は下敷きボード構造Ａ１の側面図である。
【００２３】
下敷きボード構造Ａ１は、下敷きボード本体１０には、連結用架体２０の位置決め端２１を締結する部位に長形リード溝４０が形成してあり、連結用架体２０の位置決め端２１が可動式位置決めピン４１で長形リード溝４０に締結してある構成である。
【００２４】
可動式位置決めピン４１の長形リード溝４０への締結が緩め状態にある場合には、図５に示すように、可動式位置決めピン４１を長形リード溝４０の限られた距離の範囲内でスライドさせて連結用架体２０を動かして、支持部材３０と下敷きボード本体１０の相対位置及び下敷きボード本体１０の傾斜角度を調整することができる。また、今までの使用経験及び研究により、下敷きボードの傾斜角度を約１０〜１７°とした場合が最も人体力学に適合しており、使用者の背筋をまっすぐに伸ばし、脊椎に良い姿勢を保つことができる。
【００２５】
なお、連結用架体２０は一つの曲折部２３を有しており、これによって、スクロール支持部材３０を固定し、滑りや位置ずれを防ぐことが可能である。
【００２６】
図３は、支持部材３０を移動させて下敷きボード本体１０のサイドに位置させて、下敷きボード本体１０を、傾斜した状態から水平状態に切り換えた状態を示す。
【００２７】
図５に示すように、支持部材３０の位置を移動させることによって、下敷きボード構造Ａは下敷きボード本体１０の傾斜角度が調整できる。また、図６に示すように、支持部材３０を利用して下敷きボード本体１０の使用者からの距離を調整することもできる。使用者が着座時に垂直姿勢から後方にもたれたとき、下敷きボード本体１０を後方の所定位置に引っ張るだけで距離を調整することができ、下敷きボード本体１０の傾斜角度をいちいち調整する手間が省ける。
【実施例３】
【００２８】
図７は本考案の実施例３になる下敷きボード構造Ａ２を示す。
【００２９】
下敷きボード本体１０のうち、使用者より遠い側は、上記実施例２と同様に、支持部材３０の連結用架体２０が可動式位置決めピン４１によって長形リード溝４０に取り付けてある構成であり、使用者に近い側には、一つの補助マット５０が可動フレーム５１によって下敷きボード本体１０に連結されている。
【００３０】
補助マット５０は、図８に示すように、可動フレーム５１を回動させつつ、下敷きボード本体１０の板面１１の上、或いは、下敷きボード本体１０のサイド位置に移動させることができる。使用者は補助マット５０に手を載せたり、もしくは補助マット５０をストッパーとして利用することができる。
【実施例４】
【００３１】
図９は本考案の実施例４になる下敷きボード構造Ａ３を示す。
【００３２】
下敷きボード本体１０Ｂの板面１１上に一つの軟質マット１４が設置してある。これによって、使用者は板面１１の上で書写することができる。
【００３３】
支持部材３０Ｂは、一つのスライド支持座３１Ｂよりなる。スライド支持座３１Ｂの底部にローラ３２が装着してあり、スライド支持座３１Ｂはスライド動作をすることができる。
【００３４】
また、図１２に示すように、スライド支持座３１Ｂには一つの収容部４２が設置してあり、この中に、鉛筆、消しゴム、定規などの文房具もしくはその他の小物、ワークを収納することができる。
【００３５】
下敷きボード本体１０Ｂのうち、長形リード溝４０に近接した部分の両側には、外側に延びたウィング部１３Ｒ，１３Ｌが設けられている。下敷きボード本体１０の傾斜高さを調整するときには、使用者は両手でそのウィング部１３Ｒ，１３Ｌを持ったまま連結用架体２０を指で動かし、連結用架体２０を長形リード溝４０の中でスライドさせ、調整することができる。
【００３６】
図１３に示すように、可動式位置決めピン４１は一つのボルト付きロックピンである。可動式位置決めピン４１と長形リード溝４０の間に連結用架体２０を設置し、連結用架体２０に可動式位置決めピン４１を締結するための一つの通孔２０１を設置し、長形リード溝４０の中に一つの滑りナット座４２が設置してある。可動式位置決めピン４１は、滑りナット座４２を貫通して、長形リード溝４０の中で固定してある。使用者は可動式位置決めピン４１を少し緩め、可動式位置決めピン４１と滑りナット座４２とを長形リード溝４０の中でスライドさせて必要な位置に調整した後、可動式位置決めピン４０を締め付けることによって、高さ調整の目的を達成することができる。
【００３７】
図１１は、連結用架体２０を回動させると共に長形リード溝４０に沿って移動させて、下敷きボード本体１０Ｂの下側の支持部材３０Ｂを、下敷きボード本体１０Ｂの使用者側より遠い側の縁より外側のサイドの位置に移動させて、下敷きボード本体１０Ｂを傾斜状態から水平状態に切り換えるときの状態を示す。図１０は下敷きボード本体１０Ｂの移動が完了して、下敷きボード本体１０Ｂが切り換わって水平状態となった状態を示す。
【実施例５】
【００３８】
図１４は本考案のもう一つの実施例になる可動式位置決めピン４１Ｂを使用した連結用架体の長形リード溝への設置構造を示す。
【００３９】
この可動式位置決めピン４１Ｂは、一つの凹溝４１０を有する。連結用架体２０の片側に設置された一つの突出棒２０２をその凹溝４１０に挿入してある。可動式位置決めピン４１Ｂを調整したときに、連結用架体２０に前記に掲げた可動式位置決めピン４０と滑りナット座４２の長形リード溝４０内を限られた距離の範囲内でスライド動作を行わせることが出来る。
【実施例６】
【００４０】
図１５は、支持部材３０Ｃと連結用架体２０との接続の構造を示す。支持部材３０Ｃには、一つの位置制御溝５２が形成してある。図１６に示すように、連結用架体２０は位置制御溝５２を通って支持部材３０Ｃの中に組み入れられる。これによって、連結用架体２０に支持される支持部材３０Ｃを任意の材質のものに変更することができる。
【００４１】
調整可能な下敷きボード構造を太ももの上において使用する場合には、軟性材質で形成された支持部材３０Ｃに変更することによって、硬い材質による両足の血管神経への圧迫や痛みを防止することができる。
【００４２】
本考案は以下の効果を有する。
（１）調整可能な下敷きボード構造Ａは既設の机に設置できることに加えて、傾斜角度を調整できるという機能を備えており、更に、支持部材３０の位置を変えるだけで下敷きボード本体１０を水平もしくは傾斜した状態に切り換えることができる。よって、下敷きボード構造Ａは、使用者の要求に見合った、使い勝手の良い、実用性及び進歩性を兼ね備えている。
（２）連結用架体２０の位置決め端２１と長形リード溝４０の締結部を可動式位置決めピン４１で固定してあるので、可動式位置決めピン４１と長形リード溝４０の間は締付け／緩めるという簡易操作によって、可動式位置決めピン４１と連結用架体２０を同時に動かし、長形リード溝４０内を定まった距離の範囲内でスライド動作を行わせ、その支持部材３０と下敷きボード本体１０の相対位置及び下敷きボード本体１０の傾斜角度を調整することができる。
（３）下敷きボード本体１０のうち支持部材３０が設けてある側とは反対側に、可動式補助マット５０が設置してあり、この補助マット５０を下敷きボード本体１０の板面１１の上の位置或いは横の位置に移動させると、手を支えたり、ストッパーとしての役割を果たすことができる。
【００４３】
また、本考案は、支持部材３０を利用して下敷きボード本体１０の机上における距離を調整することができるという、新しい機能を有する。これによって、使用者が着座時に垂直姿勢から後方にもたれた時、下敷きボード本体１０を後方の所定位置まで引っ張るだけで距離を調整することができ、下敷きボード本体１０の傾斜角度を調整する必要がなく、便利で快適な操作性を実現できる。
【００４４】
上述の実施例は本考案を具体的に説明したものであり、文中では特定の専門用語を用いて説明しているが、実用新案登録請求の範囲を限定するものではなく、この技術分野を熟知した当事者は本考案の精神及び原則を逸脱しない限り、本考案に変更または改良を加えることができる。しかし、それらの変更または改良は全て本願の実用新案登録請求の範囲に含まれるものである。
【図面の簡単な説明】
【００４５】
【図１】本考案の実施例１になる下敷きボード構造の斜視図である。
【図２】本考案の実施例２になる下敷きボード構造の斜視図である。
【図３】水平状態の下敷きボード構造の斜視図である。
【図４】図２の下敷きボード構造の側面図である。
【図５】支持部材を移動させて傾斜角度を調整した下敷きボード構造の斜視図である。
【図６】下敷きボード構造の使用者からの距離の調整を説明する図である。
【図７】本考案の実施例３になる下敷きボード構造の側面図である。
【図８】図７中、補助マットの位置の移動を示す図である。
【図９】本考案の実施例４になる下敷きボード構造の斜視図である。
【図１０】水平状態の下敷きボード構造の斜視図である。
【図１１】下敷きボード構造の傾斜状態から水平状態への切り換えを示す図である。
【図１２】スライド支持座を分解して示す斜視図である。
【図１３】連結用架体の長形リード溝への設置構造を示す断面図である。
【図１４】別の可動ピンを使用した連結用架体の長形リード溝への設置構造を示す断面図である。
【図１５】支持部材と連結用架体との接続の構造を分解して示す斜視図である。
【図１６】支持部材と連結用架体との接続を説明する図である。
【符号の説明】
【００４６】
Ａ、Ａ１，Ａ２、Ａ３  下敷きボード構造
１０、１０Ｂ下敷きボード本体
１１  板面
１２  底面
１３Ｒ，１３Ｌ  ウィング部
１４  軟質マット
２０  連結用架体
２０１  通孔
２０２  突出棒
２１  位置決め端
２２  揺動端
２３  曲折部
３０、３０Ｂ、３０Ｃ  支持部材
３１  ドラム
３１Ｂ  スライド支持座
４０  長形リード溝
４１，４１Ｂ  可動式位置決めピン
４１０  凹溝
４２  収容部
４３  滑りナット座
４４  固定用パーツ
５０  補助マット
５１  可動フレーム
５２  位置制御溝
【図１】
0003140818.tif 000003
【図２】
0003140818.tif 000004
【図３】
0003140818.tif 000005
【図４】
0003140818.tif 000006
【図５】
0003140818.tif 000007
【図６】
0003140818.tif 000008
【図７】
0003140818.tif 000009
【図８】
0003140818.tif 000010
【図９】
0003140818.tif 000011
【図１０】
0003140818.tif 000012
【図１１】
0003140818.tif 000013
【図１２】
0003140818.tif 000014
【図１３】
0003140818.tif 000015
【図１４】
0003140818.tif 000016
【図１５】
0003140818.tif 000017
【図１６】
0003140818.tif 000018